(57)【特許請求の範囲】
【請求項１】
同一の表示領域から異なる複数の方向に複数の画像をそれぞれ表示する表示部と、
前記表示部が表示する画像をユーザに遠隔操作させる複数の遠隔操作部からそれぞれ発信された複数の無線信号を受信する無線受信部と、
前記無線受信部が受信した複数の無線信号をそれぞれ発信した前記複数の遠隔操作部の方向をそれぞれ検知する操作方向検知部と、
前記複数の遠隔操作部からそれぞれ発信された前記複数の無線信号に応じた画像を、前記操作方向検知部が検知した複数の方向のそれぞれに同時に表示させる表示制御部と
を備え、
前記表示制御部は、前記無線受信部が前記複数の遠隔操作部からそれぞれ発信された前記複数の無線信号を受信した場合に、前記複数の遠隔操作部の数の部分領域画面に前記表示部の表示画面を分割して、複数の前記部分領域画面のそれぞれに、前記複数の遠隔操作部からそれぞれ発信された前記複数の無線信号に応じた画像を、前記操作方向検知部が検知した方向のそれぞれに、それぞれ表示させる
表示装置。
【請求項２】
前記無線受信部は、
第１の方向からの無線信号を受信する第１方向受信デバイスと、
第２の方向からの無線信号を受信する第２方向受信デバイスと
を有し、
前記操作方向検知部は、前記第１方向受信デバイスと前記第２方向受信デバイスとのいずれによって無線信号が受信されたかによって、前記無線受信部が受信した無線信号を発信した前記複数の遠隔操作部の方向をそれぞれ検知し、
前記表示制御部は、前記複数の部分領域画面のうちの第１部分領域画面に、前記第１方向受信デバイスが受信した無線信号に応じた画像を第１の方向に表示させ、また、前記複数の部分領域画面のうちの第２部分領域画面に、前記第２方向受信デバイスが受信した無線信号に応じた画像を第２の方向に表示させる
請求項１に記載の表示装置。
【請求項３】
前記表示部は、
第１の方向に存在する閲覧者の右目用画像を表示する第１方向右目用表示ユニットと、
第１の方向に存在する閲覧者の左目用画像を表示する第１方向左目用表示ユニットと、
第２の方向に存在する閲覧者の右目用画像を表示する第２方向右目用表示ユニットと、
第２の方向に存在する閲覧者の左目用画像を表示する第２方向左目用表示ユニットと
を有し、
前記表示制御部は、前記第１方向右目用表示ユニット及び前記第１方向左目用表示ユニットを用いて、前記複数の部分領域画面のうちの第１部分領域画面に、前記操作方向検知部が検知した第１の方向に画像を表示させ、また、前記複数の部分領域画面のうちの第２部分領域画面に、前記第２方向右目用表示ユニット及び前記第２方向左目用表示ユニットを用いて、前記操作方向検知部が検知した第２の方向に画像を表示させる
請求項１または２に記載の表示装置。
【請求項４】
前記複数の遠隔操作部
をさらに備える請求項１から３のいずれか一項に記載の表示装置。
【請求項５】
前記複数の無線信号は、それぞれ光信号である
請求項１から３のいずれか一項に記載の表示装置。
【請求項６】
同一の表示領域から異なる複数の方向に複数の画像をそれぞれ表示する表示部に画像を表示する表示方法であって、
前記表示部が表示する画像をユーザに遠隔操作させる複数の遠隔操作部からそれぞれ発信された複数の無線信号を受信する無線受信段階と、
前記無線受信段階において受信された複数の無線信号がそれぞれ発信された方向を検知する操作方向検知段階と、
前記複数の遠隔操作部からそれぞれ発信された前記複数の無線信号に応じた画像を、前記操作方向検知段階において検知された複数の方向のそれぞれに同時に表示させる表示制御段階と
を備え、
前記表示制御段階は、前記無線受信段階において前記複数の遠隔操作部からそれぞれ発信された前記複数の無線信号が受信された場合に、前記複数の遠隔操作部の数の部分領域画面に前記表示部の表示画面を分割して、複数の前記部分領域画面のそれぞれに、前記複数の遠隔操作部からそれぞれ発信された前記複数の無線信号に応じた画像を、前記操作方向検知段階において検知された方向のそれぞれに、それぞれ表示させる
表示方法。
【請求項７】
前記無線受信段階は、
第１の方向からの無線信号を受信する第１方向受信デバイスで無線信号を受信する段階と、
第２の方向からの無線信号を受信する第２方向受信デバイスで無線信号を受信する段階と、
を有し、
前記操作方向検知段階は、前記第１方向受信デバイスと前記第２方向受信デバイスとのいずれによって無線信号が受信されたかによって、前記受信された無線信号を発信した前記複数の遠隔操作部の方向をそれぞれ検知し、
前記表示制御段階は、前記複数の部分領域画面のうちの第１部分領域画面に、前記第１方向受信デバイスが受信した無線信号に応じた画像を第１の方向に表示させ、また、前記複数の部分領域画面のうちの第２部分領域画面に、前記第２方向受信デバイスが受信した無線信号に応じた画像を第２の方向に表示させる
請求項６に記載の表示方法。
【請求項８】
前記表示部は、
第１の方向に存在する閲覧者の右目用画像を表示する第１方向右目用表示ユニットと、
第１の方向に存在する閲覧者の左目用画像を表示する第１方向左目用表示ユニットと、
第２の方向に存在する閲覧者の右目用画像を表示する第２方向右目用表示ユニットと、
第２の方向に存在する閲覧者の左目用画像を表示する第２方向左目用表示ユニットと
を有し、
前記表示制御段階は、前記第１方向右目用表示ユニット及び前記第１方向左目用表示ユニットを用いて、前記複数の部分領域画面のうちの第１部分領域画面に、前記操作方向検知段階において検知された第１の方向に画像を表示させ、また、前記複数の部分領域画面のうちの第２部分領域画面に、前記第２方向右目用表示ユニット及び前記第２方向左目用表示ユニットを用いて、前記操作方向検知段階において検知された第２の方向に画像を表示させる
請求項６または７に記載の表示方法。
【請求項９】
前記複数の無線信号は、それぞれ光信号である
請求項６から８のいずれか一項に記載の表示方法。
【発明の詳細な説明】
【技術分野】
【０００１】
本発明は、表示装置及び表示方法に関する。特に本発明は、同一の表示領域から異なる複数の方向に複数の映像をそれぞれ表示する表示装置及び表示方法に関する。
【背景技術】
【０００２】
三次元映像表示装置において、例えば、バックライトとピンホールアレイ板からなる光源装置を有し、液晶表示パネル駆動部によって液晶表示パネルに画素駆動信号が与えられ、各ピンホールに対応した複数の画素から成る画素領域を形成させ、対応するピンホールからの各方向の光線に対して光透過量を画素領域の各画素が制御することとなることによって、三次元映像を観察者に認識させる技術が知られている（例えば、特許文献１参照。）。
【特許文献１】特開２００２−２８７０８９号公報
【発明の開示】
【発明が解決しようとする課題】
【０００３】
しかし、特許文献１には、複数のユーザのそれぞれに対して異なる映像を提供する技術については開示されていない。
【０００４】
そこで本発明は、上記の課題を解決することができる表示装置及び表示方法を提供することを目的とする。この目的は特許請求の範囲における独立項に記載の特徴の組み合わせにより達成される。また従属項は本発明の更なる有利な具体例を規定する。
【課題を解決するための手段】
【０００５】
本発明の第１の形態における表示装置は、同一の表示領域から異なる複数の方向に複数の画像をそれぞれ表示する表示部と、表示部が表示する画像をユーザに遠隔操作させる遠隔操作部と、遠隔操作部から発信された無線信号を受信する無線受信部と、無線受信部が受信した無線信号を発信した遠隔操作部の方向を検知する操作方向検知部と、操作方向検知部が検知した方向に、遠隔操作部から発信された無線信号に応じた画像を表示させる表示制御部とを備える。
【０００６】
表示部は、第１の方向に光を発光する複数の第１表示ユニットと、第２の方向に光を発光する複数の第２表示ユニットとを有し、複数の第１表示ユニットと複数の第２表示ユニットとは交互に配列されてよい。
【０００７】
無線受信部は、遠隔操作部から発信された光信号を受信し、操作方向検知部は、無線受信部が受信した光信号を発信した遠隔操作部の方向を検知してよい。
【０００８】
無線受信部は、複数の遠隔操作部からそれぞれ発信された複数の無線信号を受信し、操作方向検知部は、無線受信部が受信した複数の無線信号をそれぞれ発信した複数の遠隔操作部の方向をそれぞれ検知し、表示制御部は、操作方向検知部が検知した複数の方向のそれぞれに同時に、複数の遠隔操作部からそれぞれ発信された複数の無線信号に応じた画像をそれぞれ表示させてよい。
【０００９】
無線受信部は、第１の方向からの無線信号を受信する第１方向受信デバイスと、第２の方向からの無線信号を受信する第２方向受信デバイスとを有し、操作方向検知部は、第１方向受信デバイスと第２方向受信デバイスとのいずれによって無線信号が受信されたかによって、無線受信部が受信した無線信号を発信した遠隔操作部の方向を検知し、表示制御部は、第１方向受信デバイスが受信した無線信号に応じた画像を第１の方向に表示させ、また、第２方向受信デバイスが受信した無線信号に応じた画像を第２の方向に表示させてよい。
【００１０】
表示部は、異なる複数の方向にそれぞれ表示すべき画像を構成する光を時分割で順次発光する発光部と、発光部が時分割で順次発光する光を、発光部による発光動作に同期して順次通過させるシャッタ部と、シャッタ部が通過させた光を異なる複数の方向にそれぞれ屈折させるレンズ部とを備えてよい。
【００１１】
表示制御部は、無線受信部が複数の遠隔操作部からそれぞれ発信された複数の無線信号を受信した場合に、複数の遠隔操作部の数に応じて表示部の表示画面を複数の部分領域画面に分割して、複数の部分領域画面のそれぞれに、複数の遠隔操作部からそれぞれ発信された複数の無線信号に応じた画像をそれぞれ表示させてよい。
【００１２】
表示部は、第１の方向に存在する閲覧者の右目用画像を表示する第１方向右目用表示ユニットと、第１の方向に存在する閲覧者の左目用画像を表示する第１方向左目用表示ユニットと、第２の方向に存在する閲覧者の右目用画像を表示する第２方向右目用表示ユニットと、第２の方向に存在する閲覧者の左目用画像を表示する第２方向左目用表示ユニットとを有し、表示制御部は、第１方向右目用表示ユニット及び第１方向左目用表示ユニットを用いて、操作方向検知部が検知した第１の方向に画像を表示させ、また、第２方向右目用表示ユニット及び第２方向左目用表示ユニットを用いて、操作方向検知部が検知した第２の方向に画像を表示させてよい。
【００１３】
本発明の第２の形態における表示方法は、同一の表示領域から異なる複数の方向に複数の画像をそれぞれ表示する表示段階と、表示段階において表示される画像をユーザに遠隔操作させる遠隔操作段階と、遠隔操作段階において発信された無線信号を受信する無線受信段階と、無線受信段階において受信された無線信号が発信された方向を検知する操作方向検知段階と、操作方向検知段階において検知された方向に、遠隔操作段階において発信された無線信号に応じた画像を表示させる表示制御段階とを備える。
【００１４】
なお上記の発明の概要は、本発明の必要な特徴の全てを列挙したものではなく、これらの特徴群のサブコンビネーションもまた発明となりうる。
【発明の効果】
【００１５】
本発明によれば、鑑賞者のそれぞれが欲する画像を表示することができる表示装置を提供することができる。
【発明を実施するための最良の形態】
【００１６】
以下、発明の実施形態を通じて本発明を説明するが、以下の実施形態は特許請求の範囲に係る発明を限定するものではなく、また実施形態の中で説明されている特徴の組み合わせの全てが発明の解決手段に必須であるとは限らない。
【００１７】
図１は、この発明の一実施形態における表示装置１１０の利用環境の一例を示す。表示装置１１０は、ディスプレイ等の表示部１２０と、リモコン等の複数の遠隔操作部１３０（ａ〜ｃ、以後１３０と総称する）と、遠隔操作部１３０の無線信号を受信する無線受信部１４０とを備える。それぞれの遠隔操作部１３０は、ユーザ１９０（ａ〜ｃ、以後１９０と総称する）の操作に応じた無線信号を表示装置１１０に送信する。無線受信部１４０は、例えば特定の方向に受信指向性を持つ複数の受信デバイスによって遠隔操作部１３０からの信号を受信することによって、それぞれの遠隔操作部１３０の、表示部１２０からの方向を特定する。
【００１８】
そして、表示装置１１０は、特定した遠隔操作部１３０の方向に、それぞれの無線信号で指示された画像を表示させる。このとき、表示装置１１０は、例えば異なる方向に位置する遠隔操作部１３０ａ、１３０ｂ、及び１３０ｃからそれぞれ異なる画像Ａ、及びＢ、及びＣを表示するよう指示された場合には、画像Ａ、Ｂ、及びＣを、ユーザ１９０がフリッカを知覚しない速さで表示部１２０に反復表示させる。このとき、表示装置１１０は、画像Ａ、Ｂ、及びＣの表示動作に同期させて、画像を表示させる表示方向を遠隔操作部１３０ａ、１３０ｂ、及び１３０ｃの位置する方向に順次変更する。これにより、表示装置１１０は、それぞれのユーザ１９０が位置する方向に、各ユーザ１９０が望む画像を表示することができる。なお、表示装置１１０は、特定した遠隔操作部１３０の方向毎に、表示部１２０の表示領域を分割して、分割した表示領域にそれぞれ画像Ａ、Ｂ、及びＣを表示してもよい。
【００１９】
なお、本実施形態における画像とは、デジタル放送等によって放送された映像であってよい。また、デジタルスチルカメラ、デジタルビデオカメラ等の撮像装置によって撮像された撮像画像であってよいし、撮像画像以外の画像であってよい。また、表示装置１１０は、ＨＤＴＶ、ＤＶＤプレーヤシステム、ホームシアターシステム等の、画像を表示する装置であってよい。他にも、表示装置１１０はパーソナルコンピュータ等であってよく、この場合、本実施形態における画像とは、パーソナルコンピュータが表示すべき画面画像であってよい。なお、表示部１２０は、３次元画像を表示することができる３Ｄディスプレイであってよく、遠隔操作部１３０が位置する方向にそれぞれ異なる３Ｄ画像を表示してよい。また、遠隔操作部１３０は、赤外線等の光を用いて表示装置１１０を操作する無線信号を送信してよい。
【００２０】
図２は、表示装置１１０のブロック構成の一例を示す。表示装置１１０は、無線受信部１４０、操作方向検知部２４０、表示制御部２５０、表示部１２０、複数の遠隔操作部１３０を備える。無線受信部１４０は、第１方向受信デバイス２２０及び第２方向受信デバイス２３０を有する。表示部１２０は、発光部３３０、シャッタ部３４０、レンズ部３５０を有する。なお、表示部１２０の具体的な構成の一例は、図３において説明する。
【００２１】
表示部１２０は、同一の表示領域から異なる複数の方向に複数の画像をそれぞれ表示する。具体的には、表示部１２０は、同一の表示領域から異なる複数の方向に複数の異なる画像をそれぞれ表示する。
【００２２】
遠隔操作部１３０は、表示部１２０が表示する画像をユーザ１９０に遠隔操作させる。遠隔操作部１３０は、例えば、表示部１２０が表示する画像を操作する光信号等の無線信号を送信する。例えば、遠隔操作部１３０は、赤外線等の光による光信号を送信して、表示部１２０が表示する画像を遠隔操作させる。
【００２３】
無線受信部１４０は、遠隔操作部１３０から発信された無線信号を受信する。具体的には、無線受信部１４０は、遠隔操作部１３０から発信された光信号を受信する。
【００２４】
操作方向検知部２４０は、無線受信部１４０が受信した無線信号を発信した遠隔操作部１３０の方向を検知する。具体的には、操作方向検知部２４０は、無線受信部１４０が受信した光信号を発信した遠隔操作部１３０の方向を検知する。
【００２５】
そして、表示制御部２５０は、操作方向検知部２４０が検知した方向に、遠隔操作部１３０から発信された無線信号に応じた画像を表示させる。具体的には、表示制御部２５０は、操作方向検知部２４０が検知した複数の方向のそれぞれに同時に、複数の遠隔操作部１３０からそれぞれ発信された複数の無線信号に応じた画像をそれぞれ表示させる。このため、表示装置１１０は、画像を見ているユーザ１９０が位置する方向に向けて画像を表示することができる。
【００２６】
具体的には、第１方向受信デバイス２２０は、第１の方向からの無線信号を受信し、第２方向受信デバイス２３０は、第２の方向からの無線信号を受信する。例えば、第１方向受信デバイス２２０は、第１の方向に受信指向性を持っており、第２方向受信デバイス２３０は、第１の方向とは異なる第２の方向に受信指向性を持っている。そして、操作方向検知部２４０は、第１方向受信デバイス２２０によって無線信号が受信された場合に、当該無線信号を発信した遠隔操作部１３０が第１の方向にあることを検知し、第２方向受信デバイス２３０によって無線信号が受信された場合に、当該無線信号を発信した遠隔操作部１３０が第１の方向にあることを検知する。そして、表示制御部２５０は、第１方向受信デバイス２２０が受信した無線信号に応じた画像を第１の方向に表示させ、また、第２方向受信デバイス２３０が受信した無線信号に応じた画像を第２の方向に表示させる。
【００２７】
なお、無線受信部１４０は、表示装置１１０が設けられた空間内において、３箇所以上の位置に設けられた受信デバイスを有してよい。そして、操作方向検知部２４０は、各受信デバイスが受信した信号の受信強度に基づいて、遠隔操作部１３０の位置する方向を特定してもよい。
【００２８】
なお、無線受信部１４０は、複数の遠隔操作部１３０からそれぞれ発信された複数の無線信号を受信する。そして、操作方向検知部２４０は、無線受信部１４０が受信した複数の無線信号をそれぞれ発信した複数の遠隔操作部１３０の方向をそれぞれ検知する。このため、ユーザ１９０のそれぞれは、それぞれの位置から遠隔操作部１３０を操作することによって、それぞれのユーザ１９０が欲する画像を同時に楽しむことができる。
【００２９】
なお、表示制御部２５０は、無線受信部１４０が複数の遠隔操作部１３０からそれぞれ発信された複数の無線信号を受信した場合に、複数の遠隔操作部１３０の数に応じて表示部１２０の表示画面を複数の部分領域画面に分割して、複数の部分領域画面のそれぞれに、複数の遠隔操作部１３０からそれぞれ発信された複数の無線信号に応じた画像をそれぞれ表示させてよい。このとき、表示制御部２５０は、分割した複数の部分領域画面に表示する画像を、それぞれ遠隔操作部１３０の方向に表示させる。このため、それぞれのユーザ１９０の位置からは、他のユーザ１９０が見ている画像は見えないので、ユーザ１９０の各々は、各自が望む画像を集中して楽しむことができる。
【００３０】
以上説明したように、本実施形態の表示装置１１０によれば、ユーザ１９０が位置する方向に向かって、ユーザ１９０の欲する画像を表示することができる。また、表示装置１１０は、ユーザ１９０の各々が異なる画像を見たい場合であっても、各々が欲する画像を一つの表示部１２０に表示することができる。
【００３１】
図３は、表示部１２０の構成の一例を示す。発光部３３０は、異なる複数の方向にそれぞれ表示すべき画像を構成する光を時分割で順次発光する。そして、シャッタ部３４０は、発光部３３０が時分割で順次発光する光を、発光部３３０による発光動作に同期して順次通過させる。レンズ部３５０は、シャッタ部３４０が通過させた光を異なる複数の方向にそれぞれ屈折させる。
【００３２】
具体的には、発光部３３０は、ユーザ１９０の右目及び左目に集光させる光を発光する複数の発光ユニット３３１、３３２、・・・を有する。また、シャッタ部３４０は、発光ユニット３３１、３３２、・・・のそれぞれに対して、複数のシャッタユニット３４１ａ〜ｃ、３４２ａ〜ｃ、・・・を有する。
【００３３】
なお、発光ユニット３３１及び３３２は、それ自身が特定の色を発光してよいし、カラーフィルタ等によって、異なる色の光を透過させることによって、特定の色を発光してもよい。具体的には、発光ユニット３３１及び３３２は、ＬＥＤ、液晶のバックライト等であってよい。なお、発光ユニット３３１及び３３２が拡散光源でない場合には、シャッタ部３４０と、発光ユニット３３１及び３３２との間に、光を拡散させる拡散素子が設けられてもよい。また、シャッタ部３４０は、発光部３３０からの光を部分的に透過させることができる電子シャッタであってよい。そして、表示制御部２５０は、シャッタユニット３４１ａ〜ｃ、３４２ａ〜ｃが透過する発光部３３０からの光の透過量を制御する。そして、シャッタユニット３４１ａ〜ｃ、３４２ａ〜ｃから透過された発光部３３０からの光は、レンズ部３５０を通過して異なる方向に進む。
【００３４】
図３の例において、表示制御部２５０は、発光ユニット３３１及び３３２からの光を、それぞれシャッタユニット３４１ａ及びシャッタユニット３４２ａから同期して透過させ、同時に、シャッタユニット３４１ｂ、３４１ｃ、３４２ｂ、及び３４２ｃが発光ユニット３３１及び３３２からの光を透過しないよう制御する。この結果、シャッタユニット３４１ａを透過した光は、ユーザ１９０ａの右目の近傍に集光され、シャッタユニット３４２ａを透過した光は、ユーザ１９０ａの左目の近傍に集光される。このとき、表示制御部２５０は、発光ユニット３３１及び３３２からの光が、ユーザ１９０ａの右目及び左目にそれぞれ右目用の画像及び左目用の画像を表す光となるよう、表示部１２０に表示すべき画像データを制御する。これにより、表示装置１１０は、視覚的に３次元に見える画像を、ユーザ１９０ａが位置する方向に提供することができる。
【００３５】
同様に、表示制御部２５０は、ユーザ１９０ｂが位置する方向に画像を提供する場合に、発光ユニット３３１及び３３２からの光を、シャッタユニット３４１ｂ及びシャッタユニット３４２ｂから同期して透過させ、同時に、シャッタユニット３４１ａ、３４１ｃ、３４２ａ、及び３４２ｃが発光ユニット３３１及び３３２からの光を透過しないよう制御する。また、表示制御部２５０は、ユーザ１９０ｃが位置する方向に画像を提供する場合には、発光ユニット３３１及び３３２からの光を、シャッタユニット３４１ｃ及びシャッタユニット３４２ｃから同期して透過させ、同時に、シャッタユニット３４１ａ、３４１ｂ、３４２ａ、及び３４２ｂが発光ユニット３３１及び３３２からの光を透過させないよう制御する。このようにして、ユーザ１９０ａ〜ｃのそれぞれが位置する方向に適切に画像を表示することができる。
【００３６】
本構成において、発光部３３０、シャッタ部３４０におけるシャッタユニット３４１ａ及びシャッタユニット３４２ａ、並びに、レンズ部３５０は、この発明における、第１の方向に光を発光する第１表示ユニットとして機能する。また、発光部３３０、シャッタ部３４０におけるシャッタユニット３４１ｂ及びシャッタユニット３４２ｂ、並びに、レンズ部３５０は、例えば、この発明における、第２の方向に光を発光する第２表示ユニットとして機能する。このように、本実施形態においては、複数の第１表示ユニットと複数の第２表示ユニットとは交互に配列された構成をとる。
【００３７】
また、本構成においては、発光部３３０、シャッタユニット３４１ａ、及びレンズ部３５０は、第１の方向に存在する閲覧者の右目用画像を表示する第１方向右目用表示ユニットとして機能し、発光部３３０、シャッタユニット３４２ａ、及びレンズ部３５０は、この発明における、第１の方向に存在する閲覧者の左目用画像を表示する第１方向左目用表示ユニットとして機能する。同様に、発光部３３０、シャッタユニット３４１ｂ、及びレンズ部３５０は、この発明における第２の方向に存在する閲覧者の右目用画像を表示する第２方向右目用表示ユニットとして機能し、発光部３３０、シャッタユニット３４２ｂ、及びレンズ部３５０は、第２の方向に存在する閲覧者の左目用画像を表示する第２方向左目用表示ユニットとして機能する。
【００３８】
そして、本構成においては、表示制御部２５０は、第１方向右目用表示ユニット及び第１方向左目用表示ユニットを用いて、操作方向検知部２４０が検知した第１の方向に画像を表示させ、また、第２方向右目用表示ユニット及び第２方向左目用表示ユニットを用いて、操作方向検知部２４０が検知した第２の方向に画像を表示させる。
【００３９】
以上説明した表示部１２０の構成によれば、表示部１２０の画面に対して異なる方向にいるユーザ１９０に、３次元画像を提供することができる。なお、シャッタ部３４０は、発光ユニット３３１及び３３２の光を透過させる、それぞれ３つのシャッタユニット３４１ａ〜ｃ及び３４２ａ〜ｃを有する構成について説明したが、発光ユニット毎に４つ以上のシャッタユニットを有してもよいことは言うまでもない。また、表示制御部２５０は、操作方向検知部２４０によって検知されたユーザ１９０が位置する方向に応じて、各シャッタユニットによって光が透過されるシャッタ部３４０上の位置を制御することによって、ユーザ１９０が３次元画像を見ることができる位置範囲を拡大することができる。
【００４０】
図４は、表示制御部２５０が表示部１２０に表示させる画像の表示シーケンスの一例を示す。表示制御部２５０は、所定の表示区間で表示部１２０に動画のフレーム画像を連続的に表示させる。例えば、表示制御部２５０は、第１、第２、及び第３の方向に位置する遠隔操作部１３０から、それぞれ動画Ａ、動画Ｂ、動画Ｃを表示させる旨の指示を受け付けた場合に、一のフレーム画像を表示する表示区間Ｔ１に、動画Ａに含まれるフレーム画像Ａ１、動画Ｂに含まれるフレーム画像Ｂ１、及び動画Ｃに含まれるフレーム画像Ｃ１を表示させる。具体的には、表示制御部２５０は、一の表示区間Ｔ１を、表示部１２０に表示すべきフレーム画像数以上の部分表示区間に分割して、分割した各部分表示区間において、フレーム画像Ａ１、Ｂ１、Ｃ１を順次表示させる。
【００４１】
図４の例では、表示制御部２５０は、表示区間Ｔ１を６つの部分表示区間（ｔ１〜ｔ２、ｔ２〜ｔ３、ｔ３〜ｔ４、ｔ４〜ｔ５、ｔ５〜ｔ６、ｔ６〜ｔ７）に分割して、フレーム画像Ａ１、フレーム画像Ｂ１、及びフレーム画像Ｃ１を、各部分表示区間において順次表示させる。同様に、次の表示区間Ｔ２においても、６つの部分表示区間（ｔ７〜ｔ８、ｔ８〜ｔ９、ｔ９〜ｔ１０、ｔ１０〜ｔ１１、ｔ１１〜ｔ１２、ｔ１２〜ｔ３）に分割して、動画Ａに含まれるフレーム画像Ａ２、動画Ｂに含まれるフレーム画像Ｂ２、及び動画Ｃに含まれるフレーム画像Ｃ２を、各部分表示区間において順次表示させる。
【００４２】
このとき、表示制御部２５０は、フレーム画像Ａ１及びＡ２を表示する部分表示区間において、シャッタユニット３４１ａ及び３４２aに発光部３３０の光を透過させ、他のシャッタユニット３４１ｂ、３４１ｃ、シャッタユニット３４２ｂ、及び３４２ｃが発光部３３０からの光を透過しないよう制御することによって、動画Ａをユーザ１９０ａの位置する方向に表示する。フレーム画像Ｂ１及びＢ２を表示する部分表示区間、及びフレーム画像Ｂ１及びＢ２を表示する部分表示区間においても同様であって、例えば、フレーム画像Ｂ１及びＢ２を表示する部分表示区間においては、表示制御部２５０は、シャッタユニット３４１ｂ及び３４２ｂに発光部３３０からの光を透過させ、シャッタユニット３４１ａ及び３４１ｃにシャッタユニット３４２ａ、３４２ｃが発光部３３０の光を透過しないよう制御することによって、動画Ｂをユーザ１９０ｂの位置する方向に表示する。
【００４３】
以上説明したようにして、表示装置１１０は、ユーザ１９０が位置する各方向に、それぞれフレーム画像を表示することができる。また、本構成の表示装置１１０では、各方向に表示すべきフレーム画像を、各表示区間において時分割して表示させるので、各方向毎に画素を用意する場合にくらべてより少ない画素で、同じ解像度の画像を表示することができる。このように本構成の表示部１２０によると、空間的解像度を犠牲にすることなく画像を表示することができる。
【００４４】
なお、図３においては、一画素における表示シーケンスの一例について説明した。表示制御部２５０は、表示部１２０に含まれる全画素について、異なる複数の画像を同じ表示シーケンスで表示してもよいし、異なる複数の画像を異なる表示シーケンスで表示してもよい。例えば、図３の例で示したように、表示区間Ｔ１において一の画素にフレーム画像Ａ１、Ｂ１、Ｃ１、Ａ１、Ｂ１、Ｃ１の順で表示させる場合において、他の画素にフレーム画像Ｂ１、Ｃ１、Ａ１、Ｂ１、Ｃ１、Ａ１の順で表示させてもよい。これにより、表示装置１１０は、ユーザ１９０が感じる画面のちらつきを低減することができる。
【００４５】
また、本図においては、動画に含まれるフレーム画像を表示する構成について説明したが、フレーム画像以外の静止画等の画像を表示する場合においても同様に、各方向に表示すべき画像を順次表示していくことによって、異なる方向に位置するユーザ１９０の各々が望む画像を提供することができる。
【００４６】
図５は、表示部１２０の構成の他の例を示す。本構成の表示部１２０では、レンズ部３５０は、例えばレンチキュラレンズであってよい。そして、発光部３３０は複数の発光ユニット５３１ａ〜ｃ、及び５３２ａ〜ｃを有しており、ユーザ１９０ａ、１９０ｂ、及び１９０ｃがそれぞれの位置から表示部１２０を見た場合に、一の発光ユニットからの光が一のユーザ１９０の一の目に入射するよう配置される。本例においては、表示制御部２５０は、例えば、ユーザ１９０ａの右目に入射する光を、発光ユニット５３１aから発光させ、ユーザ１９０ａの左目に入射する光を発光ユニット５３２ａから発光させる。本例における構成を持つ表示部１２０によれば、ユーザ１９０に画面のちらつきを知覚させないようにすることができる。
【００４７】
以上説明したように、本実施形態の表示装置１１０によれば、ユーザ１９０が位置する方向に、ユーザ１９０の欲する画像を表示することができる。また、複数のユーザ１９０が閲覧する場合であっても、表示装置１１０の一つのディスプレイを用いて、ユーザ１９０のそれぞれが望む画像を同時に閲覧することができる。
【００４８】
以上、実施形態を用いて本発明を説明したが、本発明の技術的範囲は上記実施形態に記載の範囲には限定されない。上記実施形態に、多様な変更又は改良を加えることができる。そのような変更又は改良を加えた形態も本発明の技術的範囲に含まれ得ることが、特許請求の範囲の記載から明らかである。
【図面の簡単な説明】
【００４９】
【図１】表示装置１１０の利用環境の一例を示す図である。
【図２】表示装置１１０のブロック構成の一例を示す図である。
【図３】表示部１２０の構成の一例を示す図である。
【図４】表示部１２０が表示する画像の表示シーケンスの一例を示す図である。
【図５】表示部１２０の構成の他の例を示す。
【符号の説明】
【００５０】
１１０  表示装置
１２０  表示部
１３０  遠隔操作部
１４０  無線受信部
１９０  ユーザ
２２０  第１方向受信デバイス
２３０  第２方向受信デバイス
２４０  操作方向検知部
２５０  表示制御部
３３０  発光部
３３１  発光ユニット
３３２  発光ユニット
３４０  シャッタ部
３５０  レンズ部
３４１  シャッタユニット
３４２  シャッタユニット
５３１  発光ユニット
５３２  発光ユニット
【図１】
0004767620.tif 000002
【図２】
0004767620.tif 000003
【図３】
0004767620.tif 000004
【図４】
0004767620.tif 000005
【図５】
0004767620.tif 000006